(57)【要約】【課題】シャーシーに対するボスの結合を補強する手段を備えたプラズマディスプレイ装置を提供する。【解決手段】気体放電を利用して画像を具現するプラズマディスプレイパネルの一面に配置され、プラズマディスプレイパネルを支持するシャーシーと、シャーシーに結合されるボスと、シャーシーとボスとの結合を補強する補強手段と、を備えるプラズマディスプレイ装置である。【選択図】図３
2006251790.tif 000002
【特許請求の範囲】
【請求項１】
気体放電を利用して画像を具現するプラズマディスプレイパネルの一面側に配置され、前記プラズマディスプレイパネルを支持するシャーシーと、
前記シャーシーに結合されるボスと、
前記シャーシーと前記ボスとの結合を補強する補強手段と、を備えることを特徴とするプラズマディスプレイ装置。
【請求項２】
前記補強手段は、前記シャーシーを貫通して前記ボスと結合されるねじであることを特徴とする請求項１に記載のプラズマディスプレイ装置。
【請求項３】
前記ねじのヘッドと前記ボスとの間には、ワッシャーがさらに備えられていることを特徴とする請求項２に記載のプラズマディスプレイ装置。
【請求項４】
前記ワッシャーは、弾性材質からなることを特徴とする請求項３に記載のプラズマディスプレイ装置。
【請求項５】
前記シャーシーにおける、少なくともねじ結合部位は、前記ねじが前記シャーシーとプラズマディスプレイパネルとの結合面より突出しないように陥没させられていることを特徴とする請求項２に記載のプラズマディスプレイ装置。
【請求項６】
前記補強手段は、前記シャーシーを貫通して前記ボスと結合されるリベットであることを特徴とする請求項１に記載のプラズマディスプレイ装置。
【請求項７】
前記シャーシーにおける、少なくともリベット結合部位は、前記リベットが前記シャーシーとプラズマディスプレイパネルとの結合面より突出しないように陥没させられていることを特徴とする請求項６に記載のプラズマディスプレイ装置。
【請求項８】
前記ボスは、前記プラズマディスプレイパネルを駆動させる回路素子が配置された回路基板を前記シャーシーに結合させることを特徴とする請求項１に記載のプラズマディスプレイ装置。
【請求項９】
前記ボスは、前記プラズマディスプレイ装置を特定の場所に固定させることを特徴とする請求項１に記載のプラズマディスプレイ装置。
【発明の詳細な説明】
【技術分野】
【０００１】
本発明は、プラズマディスプレイ装置に関し、より詳細には、シャーシーに対するボスの結合を補強する手段を備えたプラズマディスプレイ装置に関する。
【背景技術】
【０００２】
一般的に、プラズマディスプレイ装置は、ガス放電現象を利用して画像を表示する平板ディスプレイ装置であって、薄型化が可能であり、広視野角を有する高画質の大画面を具現できるため、最近大型平板ディスプレイ装置として脚光を浴びている。
【０００３】
このようなプラズマディスプレイ装置は、ガス放電現象を利用して画像を具現するプラズマディスプレイパネル（Ｐｌａｓｍａ  Ｄｉｓｐｌａｙ  Ｐａｎｎｅｌ：ＰＤＰ）及びこのパネルを支持するシャーシーを備えている。また、シャーシーには、ＰＤＰを画像が具現されるように駆動させる回路素子が配置された回路基板が複数配置されている。このような回路基板は、シャーシーに結合されたボスによってシャーシーに締結されている。
【０００４】
図１には、従来のプラズマディスプレイ装置においてシャーシーとボスとの結合構造の抜粋が示されている。図１に示すように、ボス１７０及びシャーシー１２０は、通常シャーシーに形成されるホールにボスが押し込まれる方式で結合される。また、回路基板１５０及びボス１７０は、スクリュー１７５によって結合される。図１に示すように、シャーシー１２０には、所定のホール１２１が形成されており、このホール１２１にボス１７０が押し込まれるが、この時、ボス１７０は、必要な長さだけシャーシー１２０に押し込まれて結合されるように基底部に段１７１が形成されている。普通プラズマディスプレイ装置に使用されるそれぞれのボスは、それらが支持する回路基板、シャーシーの幾何学的な形状によって長さをはじめとして、その構造が変わりうる。
【０００５】
しかし、このような従来のプラズマディスプレイ装置において、単純に押し込みによってシャーシーに結合されるボスは、シャーシーと十分な強度で結合されず、プラズマディスプレイ装置の作動中にボスが脱落する現象が発生するという問題点があった。
【０００６】
また、シャーシー１２０に結合されるボスのうち、回路基板１５０を支持せずにプラズマディスプレイ装置を壁に固定して設置する機能を有するものがあるが、このようなボス（図示せず）の場合には、大きな荷重を受けて、ボスが脱落する虞がさらに大きくなり、シャーシーを介してＰＤＰに局部的な大きな荷重を伝達することによって、パネルが損傷させられる虞がある等の問題点があった。
【発明の開示】
【発明が解決しようとする課題】
【０００７】
本発明は、前記問題点を解決することを含む、次のような多様な目的を達成するために提供される。
【０００８】
第一に、本発明は、回路基板を支持するボスがシャーシーに堅く固定されずに緩くなるか、または脱落することを防止するように、構造が改善されたボスとシャーシーとの結合構造を備えるプラズマディスプレイ装置を提供することを目的とする。
【０００９】
第二に、本発明は、プラズマディスプレイ装置を壁のような特定の場所に固定するボスがシャーシーに堅く固定されずに緩くなるか、または脱落することを防止するように、構造が改善されたボスとシャーシーとの結合構造を備えるプラズマディスプレイ装置を提供することを目的とする。
【００１０】
第三に、本発明は、シャーシーの厚さが小さい場合にも十分な結合力を確保できるボスとシャーシーとの結合構造を備えるプラズマディスプレイ装置を提供することを目的とする。
【課題を解決するための手段】
【００１１】
本発明は、気体放電を利用して画像を具現するプラズマディスプレイパネルの一面側に配置され、前記プラズマディスプレイパネルを支持するシャーシーと、前記シャーシーに結合されるボスと、前記シャーシーと前記ボスとの結合を補強する補強手段と、を備えるプラズマディスプレイ装置を提供する。
【００１２】
ここで、前記補強手段は、前記シャーシーを貫通して前記ボスと結合されるねじであることが好ましい。
【００１３】
前記ねじのヘッドと前記ボスとの間には、ワッシャーがさらに備えられていることができる。
【００１４】
前記ワッシャーは、弾性材質からなることが好ましい。
【００１５】
前記シャーシーにおける、少なくともねじ結合部位は、前記ねじが前記シャーシーのＰＤＰとの結合面より突出しないように陥没させられていることが好ましい。
【００１６】
前記補強手段は、前記シャーシーを貫通して前記ボスと結合されるリベットでありうる。
【００１７】
前記シャーシーにおける、少なくともリベット結合部位は、前記リベットが前記シャーシーとのＰＤＰ結合面より突出しないように陥没させられていることが好ましい。
【００１８】
前記ボスは、前記ＰＤＰを駆動させる回路素子が配置された回路基板を前記シャーシーに結合させるか、または前記プラズマディスプレイ装置を特定の場所に固定させうる。
【発明の効果】
【００１９】
本発明のプラズマディスプレイ装置は、次のような効果が得られる。
【００２０】
第一に、回路基板を支持するボスとシャーシーとの結合構造が強化されて、ボスがシャーシーから脱落する現象を防止することによって、プラズマディスプレイ装置を、その信頼性が高くなるように安定的に駆動させうる。
【００２１】
第二に、壁等にプラズマディスプレイ装置を固定できるボスとシャーシーとの結合構造が強化されて、ボスがシャーシーから脱落する現象を防止することによって、プラズマディスプレイ装置を、その信頼性が高くなるように安定的に駆動できる。
【００２２】
第三に、シャーシーの厚さが小さい場合にも、本発明のプラズマディスプレイ装置は十分な結合力が得られる。
【００２３】
第四に、前記第三の効果の他の側面として、本発明によれば、シャーシーの厚さを従来よりさらに小さくできるため、コスト低減の効果が得られる。
【発明を実施するための最良の形態】
【００２４】
以下、添付された図面を参照して本発明の実施形態を詳細に説明する。
【００２５】
第１実施形態
図２は、本発明の好ましい一実施形態に係るプラズマディスプレイ装置の分解斜視図であり、図３は、図２のシャーシーとボスとの結合構造の断面図の抜粋を示している。
【００２６】
図２及び図３に示すように、本実施形態に係るプラズマディスプレイ装置３００は、前面基板３１１と背面基板３１２とから構成されたＰＤＰ３１０を備えている。ＰＤＰ３１０は、一般的に、アルミニウムのような金属材質からなるシャーシー３２０によって支持される。また、ＰＤＰ３１０は、普通、両面接着テープ３４０によりシャーシー３２０に結合される。ＰＤＰ３１０とシャーシー３２０との間には熱伝導シート３３０が介在されて、パネル３１０から発生した熱をシャーシー３２０に伝達して外部に円滑に放出させる。
【００２７】
一方、シャーシー３２０の背面には、ＰＤＰ３１０を駆動する回路素子３８０を実装する回路基板３５０が配置されており、回路基板３５０は、テープキャリアパッケージ（Ｔａｐｅ  Ｃａｒｒｉｅｒ  Ｐａｃｋａｇｅ：ＴＣＰ）等の信号伝達手段３６０を介してＰＤＰ３１０と連結される。また、回路基板３５０は、シャーシー３２０に結合されたボス３７０によりシャーシー３２０に固定される。
【００２８】
このようなＰＤＰ３１０、シャーシー３２０及び回路基板３５０は、ケース（図示せず）に収納されうる。
【００２９】
本実施形態のシャーシー３２０及びボス３７０の結合構造を簡略的に示す図３を参照すれば、ボス３７０は、まず、シャーシー３２０に形成された所定のボスホール３２１に押し込みやスピニングなどの方法によって結合される。この時、ボス３７０は、必要な長さだけシャーシー３２０に押し込まれて結合されるように、基底部に段３７１が形成されている。付加的に、ボス３７０の中心軸に沿って形成されたねじ部３７２には、シャーシー３２０のボスホール３２１よりも径が大きいヘッド４１０ａを有するねじ４１０が結合される。本実施形態は、ボス３７０をシャーシー３２０に結合させるねじ４１０のヘッド４１０ａがシャーシー３２０のボスホール３２１より大きい場合に限定されているが、本発明は、必ずしもこれに限定されるものではなく、ねじ４１０のヘッド４１０ａは、シャーシー３２０のボスホール３２１よりも小さい径を有しても良い。このように、ボス３７０は、シャーシー３２０にねじ４１０によって付加的に結合されることによって、シャーシー３２０との結合力がさらに大きくなって堅く結合される。さらに、ねじ４１０のヘッド４１０ａがシャーシー３２０のボスホール３２１よりも大きい径を有する場合には、ヘッド４１０ａは、ボス３７０がシャーシー３２０から脱落することをほぼ完全に防止できる。
【００３０】
また、ねじ４１０のヘッド４１０ａとシャーシー３２０との間には、ワッシャー４２０が介在させられる。ワッシャー４２０は、ねじ４１０のヘッド４１０ａやシャーシー３２０のボスホール３２１よりも大きい径を有することが好ましい。すなわち、ワッシャー４２０の端部４２０ａがシャーシー３２０に接触するように、広い面積のワッシャー４２０を使用することが好ましい。このようなワッシャー４２０は、ねじ４１０に集中する応力をシャーシー３２０に広く分散させる効果を有すると共に、ねじ４１０をシャーシー３２０とさらに密着させることによって、ボス３７０をシャーシー３２０にさらに堅く固定させうる。
【００３１】
ワッシャー４２０は、弾性材質からなっているものが、プラズマディスプレイ装置３００の作動過程で発生するノイズを減らし得るため好ましい。
【００３２】
本実施形態では、ワッシャー４２０が必須要素であるが、本発明は必ずしもこれに限定されるものではなく、ワッシャー４２０がなくても、シャーシー３２０に対するボス３７０の結合力を強化させうるということは言うまでもない。
【００３３】
一方、シャーシー３２０のボスホール３２１を備えてねじ４１０が配置される部分は、ねじ４１０がシャーシー３２０の前面３２０ａ、すなわち、ＰＤＰが付着される面より突出しないように陥没した陥没部３２０ｂを有する。図示されてはいないが、シャーシー３２０の前面３２０ａは、熱伝導部材または両面接着テープと面接触するため、その接触面が平坦である必要があり、ねじ４１０がシャーシー３２０と結合する時、シャーシー３２０の前面３２０ａを越えてに突出させないために、シャーシー３２０は、前面から背面側に所定深さだけ、例えば、ねじ４１０のヘッド４１０ａの高さと同じであるか、またはそれより長い深さだけ陥没させられている。
【００３４】
一方、ボス３７０のシャーシー３２０と結合された部分と反対側にある端部には、他のねじ３７５によって回路基板３５０が結合される。本実施形態では、ボス３７０が回路基板３５０に結合されるが、本発明は、必ずしもこれに限定されるものではなく、プラズマディスプレイ装置３００を、壁等の特定の場所に設置するために固定させるボスであっても良い。
【００３５】
第２実施形態
図４は、図２のシャーシーとボスとの結合構造を変形した他の実施形態を図示している。図４に示すように、この場合には、ねじの代わりにリベット４５０でシャーシー３２０とボス３７０とが結合されている。この場合には、図２に示すシャーシーとボスとの結合構造に比べて、組立工程を単純化できるという長所がある。
【００３６】
本発明は、図面に示された実施形態を参考に説明されたが、これは、例示的なものに過ぎず、当業者ならば、これから多様な変形及び均等な他の実施形態が可能であるという点を理解できるであろう。したがって、本発明の真の技術的保護範囲は、特許請求の範囲の技術的思想によって決まらねばならない。
【産業上の利用可能性】
【００３７】
本発明によれば、ボスとシャーシーとの結合構造が改善されたプラズマディスプレイ装置であって、ボスとシャーシーとの結合力が向上し、ボスのシャーシーからの脱落を防止できるプラズマディスプレイ装置を提供できる。
【図面の簡単な説明】
【００３８】
【図１】従来のプラズマディスプレイ装置におけるシャーシーとボスとの結合構造を抜粋して示す断面図である。
【図２】本発明の好ましい実施形態に係るプラズマディスプレイ装置を示す分解斜視図である。
【図３】図２のシャーシーとボスとの結合構造を抜粋して示す断面図である。
【図４】図２のシャーシーとボスとの結合構造を変形した他の実施形態を示す断面図である。
【符号の説明】
【００３９】
３２０    シャーシー、
３２０ａ    前面、
３５０    回路基板、
３６０    信号伝達手段、
３７０    ボス、
３７１    段、
３７２    ねじ部、
３８０    回路素子、
４１０    ねじ、
４１０ａ    ヘッド、
４２０    ワッシャー、
４２０ａ    端部。
【図１】
2006251790.tif 000003
【図２】
2006251790.tif 000004
【図３】
2006251790.tif 000005
【図４】
2006251790.tif 000006